(57)【特許請求の範囲】
【請求項１】
車両ボディの開口部の縁部又は該開口部に配置される蓋体の縁部に形成されたＴ字状フランジにウェザーストリップを取り付けるに当たり、上記Ｔ字状フランジの先端分岐部に上記ウェザーストリップの一対の挟持部を挟持させるために用いられる取付治具であって、
該取付治具は、作業者によって把持される把持本体と、互いに対向する状態で上記把持本体から突出して設けられた一対の保持爪と、上記把持本体おける、上記一対の保持爪が突出する側に突出して、回転可能に取り付けられた回転体と、を備え、
上記一対の保持爪の各先端部は、該一対の保持爪が互いに対向する内側に折れ曲がるとともに基端側に折り返されており、
上記一対の保持爪の各先端部によって、上記ウェザーストリップの上記一対の挟持部同士の間隔を広げるとともに、上記ウェザーストリップの表面に転がり接触させる上記回転体によって、該ウェザーストリップを上記Ｔ字状フランジの先端分岐部へ押し当てるようにして用いられる、ウェザーストリップの取付治具。
【請求項２】
上記保持爪は、上記把持本体から突出する突出部と、該突出部から内側に折れ曲がる曲折部と、該曲折部から基端側に折り返され、上記ウェザーストリップの上記挟持部を掛止するための折返し部とを有しており、
上記取付治具は、上記回転体を上記ウェザーストリップの表面に転がり接触させながら上記ウェザーストリップの長尺方向に移動させるときに、上記折返し部によって、上記一対の挟持部同士における、上記長尺方向の各部の間隔を順次広げるようにして用いられる、請求項１に記載のウェザーストリップの取付治具。
【請求項３】
上記回転体は、上記把持本体に対して上記一対の保持爪が設けられた位置を中心とする両側において、互いに平行に並ぶ状態で一対に設けられており、
上記取付治具の移動方向の前方側に位置する上記回転体によって上記ウェザーストリップを上記一対の保持爪の間に案内するとともに、上記取付治具の移動方向の後方側に位置する上記回転体によって上記ウェザーストリップを上記Ｔ字状フランジの先端分岐部へ押し当てるようにして用いられる、請求項１又は２に記載のウェザーストリップの取付治具。
【発明の詳細な説明】
【技術分野】
【０００１】
本発明は、車両ボディの開口部又は開口部に配置される蓋体の縁部にウェザーストリップを取り付けるための取付治具に関する。
【背景技術】
【０００２】
車両ボディの開口部と、開口部に配置される蓋体との間を封止するウェザーストリップは、作業者による手作業によって開口部の縁部又は蓋体の縁部に取り付けられている。また、ウェザーストリップは、作業者によって把持される治具を用いて、開口部の縁部又は蓋体の縁部に取り付けることも行われている。
例えば、特許文献１のウェザーストリップの取付け方法においては、組付治具を用いて、車体開口部開閉部材又は車体開口部周縁におけるフランジにウェザーストリップを取り付けることが開示されている。この組付治具は、ウェザーストリップを保持する保持部と、ウェザーストリップにおける取付基部をフランジに押圧する押圧部とを有している。そして、保持部におけるローラ及び押圧部におけるローラを利用して、ウェザーストリップをフランジに取り付けている。
【先行技術文献】
【特許文献】
【０００３】
【特許文献１】特開２００７−２５３７９４号公報
【発明の概要】
【発明が解決しようとする課題】
【０００４】
しかしながら、車両ボディの開口部の縁部又は蓋体の縁部に形成されたＴ字状フランジに、ウェザーストリップを取り付ける場合には、組付治具が用いられていない。この場合には、作業者の手作業によって、ウェザーストリップの一対の挟持部同士の間隔を、Ｔ字状フランジの先端分岐部の幅よりも広げている。そのため、この一対の挟持部同士の間隔を部分的に何度も繰り返し広げる必要があり、Ｔ字状フランジにウェザーストリップを取り付ける作業が容易ではない。また、特許文献１等の組付治具においては、Ｔ字状フランジにウェザーストリップを取り付けるための工夫はなされていない。
【０００５】
本発明は、かかる課題に鑑みてなされたもので、車両ボディの開口部の縁部又は蓋体の縁部に形成されたＴ字状フランジにウェザーストリップを容易に取り付けることができるウェザーストリップの取付治具を提供しようとして得られたものである。
【課題を解決するための手段】
【０００６】
本発明の一態様は、車両ボディの開口部の縁部又は該開口部に配置される蓋体の縁部に形成されたＴ字状フランジにウェザーストリップを取り付けるに当たり、上記Ｔ字状フランジの先端分岐部に上記ウェザーストリップの一対の挟持部を挟持させるために用いられる取付治具であって、
該取付治具は、作業者によって把持される把持本体と、互いに対向する状態で上記把持本体から突出して設けられた一対の保持爪と、上記把持本体おける、上記一対の保持爪が突出する側に突出して、回転可能に取り付けられた回転体と、を備え、
上記一対の保持爪の各先端部は、該一対の保持爪が互いに対向する内側に折れ曲がるとともに基端側に折り返されており、
上記一対の保持爪の各先端部によって、上記ウェザーストリップの上記一対の挟持部同士の間隔を広げるとともに、上記ウェザーストリップの表面に転がり接触させる上記回転体によって、該ウェザーストリップを上記Ｔ字状フランジの先端分岐部へ押し当てるようにして用いられる、ウェザーストリップの取付治具にある。
【発明の効果】
【０００７】
上記ウェザーストリップの取付治具は、車両ボディの開口部の縁部又は蓋体の縁部に形成されたＴ字状フランジにウェザーストリップを取り付けるために用いられる。Ｔ字状フランジは、基部と、基部の先端から両側に分岐する先端分岐部とを有するものである。ウェザーストリップは、その一対の挟持部がＴ字状フランジの先端分岐部を挟持することによって、Ｔ字状フランジに取り付けられるものである。
取付治具は、作業者によって把持される把持本体に、一対の保持爪と回転体とを設けたものである。また、一対の保持爪の各先端部は、一対の保持爪が互いに対向する内側に折れ曲がるとともに基端側に折り返されている。
【０００８】
このような構成の取付治具を用いて、ウェザーストリップをＴ字状フランジに取り付ける際には、作業者は、取付治具の一対の保持爪同士の間に形成された隙間にウェザーストリップの長尺方向の端部を挿入する。このとき、一対の保持爪における各先端部によって、ウェザーストリップの一対の挟持部同士の間隔が広げられる。そして、作業者は、ウェザーストリップの一対の挟持部を、Ｔ字状フランジの先端分岐部に配置する。
【０００９】
次いで、作業者は、取付治具の回転体によってウェザーストリップをＴ字状フランジの先端分岐部に押し当てるとともに、回転体を、ウェザーストリップの表面に転がり接触させながら、取付治具をウェザーストリップの長尺方向に移動させる。これにより、ウェザーストリップの一対の挟持部における長尺方向の各部位を、Ｔ字状フランジの先端分岐部における長尺方向の各部位に順次挟持させることができる。
それ故、上記ウェザーストリップの取付治具によれば、車両ボディの開口部の縁部又は蓋体の縁部に形成されたＴ字状フランジにウェザーストリップを容易に取り付けることができる。
【図面の簡単な説明】
【００１０】
【図１】実施形態にかかる、車両ボディの開口部、及び開口部に配置される蓋部を示す説明図。
【図２】実施形態にかかる、蓋体におけるＴ字状フランジ、及びウェザーストリップを示す説明図。
【図３】実施形態にかかる、ウェザーストリップの取付治具を示す説明図。
【図４】実施形態にかかる、ウェザーストリップの取付治具によって、ウェザーストリップをＴ字状フランジに取り付ける状態を示す断面図。
【図５】実施形態にかかる、図４におけるＡ−Ａ線矢視断面を示す説明図。
【図６】実施形態にかかる、図４におけるＢ−Ｂ線矢視断面を示す説明図。
【発明を実施するための形態】
【００１１】
上述したウェザーストリップの取付治具にかかる好ましい実施形態について、図面を参照して説明する。
ウェザーストリップ８の取付治具１は、図１、図２に示すように、車両ボディ６の開口部６１に配置される蓋体７の縁部７１に形成されたＴ字状フランジ７２にウェザーストリップ８を取り付けるに当たり、Ｔ字状フランジ７２の先端分岐部７２２にウェザーストリップ８の一対の挟持部８１を挟持させるために用いられる。
【００１２】
取付治具１は、図３に示すように、作業者によって把持される把持本体２と、互いに対向する状態で把持本体２から突出して設けられた一対の保持爪３と、把持本体２における、一対の保持爪３が突出する側に突出して、回転可能に取り付けられた回転体としてのローラ４Ａ，４Ｂとを備える。一対の保持爪３の各先端部３０１は、一対の保持爪３が互いに対向する内側に折れ曲がるとともに基端側に折り返されている。なお、図３においては、ウェザーストリップ８の図示を省略する。
【００１３】
図４〜図６に示すように、ウェザーストリップ８の取付治具１は、一対の保持爪３の各先端部３０１によって、ウェザーストリップ８の一対の挟持部８１同士の間隔Ｋを広げるとともに、ウェザーストリップ８の表面に転がり接触させるローラ４Ａ，４Ｂによって、ウェザーストリップ８をＴ字状フランジ７２の先端分岐部７２２へ押し当てるようにして用いられる。
【００１４】
図１に示すように、本形態の蓋体７は、車両ボディ６の開口部６１を開閉可能なドアとして構成されている。本形態の車両ボディ６は、バスのボディであり、本形態のドアは、バスのドアである。なお、車両ボディ６は、乗用車等のボディであってもよく、蓋体７はドア以外にもフード、トランクリッド等であってもよい。図２に示すように、Ｔ字状フランジ７２は、蓋体７を構成するフレームから突出する基部７２１と、基部７２１の先端から両側に分岐する先端分岐部７２２とを有するものである。
【００１５】
図２に示すように、ウェザーストリップ８は、その一対の挟持部８１がＴ字状フランジ７２の先端分岐部７２２を挟持することによって、Ｔ字状フランジ７２に取り付けられるものである。ウェザーストリップ８には、一対の挟持部８１の他に、車両ボディ６の開口部６１と蓋体７との隙間を封止するための封止部８２が設けられている。封止部８２は、ウェザーストリップ８において一対の挟持部８１が設けられた側と反対側に設けられている。
ウェザーストリップ８において、一対の挟持部８１が設けられた部分の内側には、Ｔ字状フランジ７２が配置されるＴ字状溝部８３が形成されている。Ｔ字状フランジ７２の先端分岐部７２２がＴ字状溝部８３に配置されたときに、一対の挟持部８１によって、Ｔ字状フランジ７２からのウェザーストリップ８の抜け防止がなされる。
【００１６】
図３に示すように、取付治具１の把持本体２は、作業者によって把持することが容易である適切な大きさに形成されている。把持本体２は、ローラ４Ａ，４Ｂの両側に突出する中心軸部４１を支持するための一対の壁部２１を有しており、一対の壁部２１の間には、ローラ４Ａ，４Ｂを配置するための凹部２２が形成されている。
ローラ４Ａ，４Ｂは、把持本体２に対して一対の保持爪３が設けられた位置を中心とする両側において、互いに平行に並ぶ状態で一対に設けられている。一対のローラ４Ａ，４Ｂは、互いに隣接する状態で一対の壁部２１に支持されている。取付治具１は、一対のローラ４Ａ，４Ｂが回転する方向に移動させるようにして用いられる。
【００１７】
また、図４に示すように、蓋体７のＴ字状フランジ７２にウェザーストリップ８を取り付ける際には、取付治具１は、Ｔ字状フランジ７２に対して斜めに対向する状態で移動させる。具体的には、図５に示すように、取付治具１の移動方向Ｆの前方側に位置する前方側ローラ４Ａは、Ｔ字状フランジ７２から離れた状態のウェザーストリップ８を、一対の保持爪３の間及びＴ字状フランジ７２に案内する役割を果たす。また、前方側ローラ４Ａは、ウェザーストリップ８の一対の挟持部８１の間隔Ｋが一対の保持爪３によって広げられる際に、ウェザーストリップ８を保持するための役割も果たす。
【００１８】
一方、図６に示すように、取付治具１の移動方向Ｆの後方側に位置する後方側ローラ４Ｂは、一対の挟持部８１がＴ字状フランジ７２を挟持するときに、ウェザーストリップ８をＴ字状フランジ７２の先端分岐部７２２へ押し当てる役割を果たす。そして、取付治具１を移動させる作業者は、後方側ローラ４Ｂを移動させる位置を制御して、ウェザーストリップ８をＴ字状フランジ７２に取り付ける。
把持本体２に一対のローラ４Ａ，４Ｂが設けられていることにより、ウェザーストリップ８をＴ字状フランジ７２に案内することが容易になるとともに、ウェザーストリップ８をＴ字状フランジ７２の先端分岐部７２２に押し当てることが容易になる。
【００１９】
また、図３に示すように、各保持爪３は、把持本体２における各壁部２１の外側面に設けられている。本形態の一対の保持爪３は、把持本体２に固定されている。これ以外にも、一対の保持爪３は、把持本体２に対して回動可能に設け、作業者が把持本体２を把持するときに回動して、ウェザーストリップ８の一対の挟持部８１同士の間隔Ｋを広げる構成としてもよい。
【００２０】
図３、図５に示すように、各保持爪３は、把持本体２から突出する突出部３１と、突出部３１から内側に折れ曲がる曲折部３２と、曲折部３２から基端側に折り返され、ウェザーストリップ８の挟持部８１を掛止するための折返し部３３とを有している。一対の保持爪３の各折返し部３３における内面３３１同士の隙間Ｓは、Ｔ字状フランジ７２の先端分岐部７２２の幅Ｗよりも大きい。また、突出部３１と折返し部３３との隙間Ｕは、折返し部３３によって挟持部８１を掛止するときに、この挟持部８１が突出部３１の内側面３１１に接触しない大きさとしている。これにより、挟持部８１の意匠面となる外面を傷等から保護している。
【００２１】
図５に示すように、取付治具１は、一対のローラ４Ａ，４Ｂをウェザーストリップ８の表面に転がり接触させながらウェザーストリップ８の長尺方向Ｌに移動させるときに、一対の保持爪３における各折返し部３３によって、一対の挟持部８１同士における、長尺方向Ｌの各部の間隔Ｋを順次広げるようにして用いられる。保持爪３に折返し部３３が形成されていることにより、ウェザーストリップ８の一対の挟持部８１同士の間隔Ｋを広げることが容易になる。
【００２２】
次に、取付治具１を用いて、ウェザーストリップ８をＴ字状フランジ７２に取り付ける方法、及び取付治具１の作用効果につき説明する。
ウェザーストリップ８をＴ字状フランジ７２に取り付けるに当たっては、作業者は、図５に示すように、取付治具１の一対の保持爪３における各折返し部３３の内面３３１同士の間に形成された隙間Ｓに、ウェザーストリップ８の長尺方向Ｌの端部を挿入する。このとき、一対の保持爪３における各折返し部３３によって、ウェザーストリップ８の一対の挟持部８１同士の間隔Ｋが広げられる。また、一対の挟持部８１は、その間隔ＫがＴ字状フランジ７２の先端分岐部７２２の幅Ｗよりも大きくなるように広げることができる。そして、作業者は、取付治具１を移動操作して、ウェザーストリップ８の一対の挟持部８１同士の間に位置する、変形されたＴ字状溝部８３に、Ｔ字状フランジ７２の先端分岐部７２２が配置されるようにする。
【００２３】
次いで、作業者は、図４〜図６に示すように、取付治具１の前方側ローラ４Ａによって、ウェザーストリップ８を一対の保持爪３の間及びＴ字状フランジ７２に案内するとともに、取付治具１の後方側ローラ４Ｂによって、ウェザーストリップ８のＴ字状溝部８３の表面をＴ字状フランジ７２の先端分岐部７２２に押し当てる。そして、作業者は、一対のローラ４Ａ，４Ｂを、ウェザーストリップ８の封止部８２側の表面に転がり接触させながら、取付治具１をウェザーストリップ８の長尺方向Ｌに移動させる。
こうして、作業者は、取付治具１によってウェザーストリップ８の長尺方向Ｌの各部位をＴ字状フランジ７２に順次押し当てていく動作によって、ウェザーストリップ８の一対の挟持部８１における長尺方向Ｌの各部位を、Ｔ字状フランジ７２の先端分岐部７２２における長尺方向Ｌの各部位に順次挟持させることができる。
【００２４】
特に、一対のローラ４Ａ，４Ｂが設けられた取付治具１を使用することにより、Ｔ字状フランジ７２の先端分岐部７２２へのウェザーストリップ８の押し当てを一層容易にすることができる。
それ故、ウェザーストリップ８の取付治具１によれば、車両ボディ６の開口部６１に配置される蓋体７の縁部７１に形成されたＴ字状フランジ７２に、ウェザーストリップ８を簡単な動作によって容易に取り付けることができる。
【００２５】
なお、取付治具１によって取付を行うウェザーストリップ８は、車両ボディ６の開口部６１の縁部に取り付けられるものとすることもできる。また、取付治具１に設ける回転体は、ローラ４Ａ，４Ｂとする以外にも、ボール（球体）等とすることもできる。また、取付治具１には、３つ以上の回転体を設けることもできる。また、取付治具１の一対の保持爪３における各折返し部３３には、ウェザーストリップ８の一対の挟持部８１の表面に転がり接触するローラ、ボール等を設けることもできる。
本発明の取付治具１は、実施形態のみに限定されるものではなく、その要旨を逸脱しない範囲において種々の構造を採用することができる。
【符号の説明】
【００２６】
１  取付治具
２  把持本体
３  保持爪
３０１  先端部
３１  突出部
３２  曲折部
３３  折返し部
４Ａ，４Ｂ  ローラ（回転体）
６  車両ボディ
６１  開口部
７  蓋体
７１  縁部
７２  Ｔ字状フランジ
７２２  先端分岐部
８  ウェザーストリップ
８１  挟持部
【図１】
0006418117.tif 000002
【図２】
0006418117.tif 000003
【図３】
0006418117.tif 000004
【図４】
0006418117.tif 000005
【図５】
0006418117.tif 000006
【図６】
0006418117.tif 000007